(57)【要約】【課題】イメージセンサーの静電破壊を低コストで抑制可能な画像読取装置を提供すること。【解決手段】画像読取装置２において、コンタクト部２２は透光性を有する。センサーユニット２５は、コンタクト部２２の第１面から離れて配置されている光源２５５及びイメージセンサー２５３を含み、コンタクト部２２の第２面上の原稿を光学的に読み取る。当接部２５７は、センサーユニット２５に設けられ、第１面Ａ１，Ｂ１に当接する第１端部Ｇ１〜Ｇ４を有する。第１端部Ｇ１〜Ｇ４は導電性を有すると共に接地される。【選択図】図４
2019041360.tif 000002
【特許請求の範囲】
【請求項１】
透光性を有するコンタクト部と、
前記コンタクト部の第１面から離れて配置されている光源及びイメージセンサーを含み、前記コンタクト部の第２面上の原稿を光学的に読み取って画像データを生成するセンサーユニットと、
前記センサーユニットに設けられ、前記第１面に当接する第１端部を有しており、前記第１端部が導電性を有すると共に接地される当接部と、
を備える画像読取装置。
【請求項２】
前記センサーユニットは、前記第１端部と電気的に接続されている接地電極が形成されている基板を含む、
請求項１に記載の画像読取装置。
【請求項３】
前記基板は、第３面と、前記第３面よりも前記第１面に近い第４面と、を有し、
前記接地電極は前記第４面に形成されており、
前記当接部は、前記接地電極に当接する第２端部を有しており、前記第１端部及び前記第２端部の間で導電性を有する、
請求項２に記載の画像読取装置。
【請求項４】
前記コンタクト部は、電気的に絶縁されている第１コンタクト部及び第２コンタクト部を含み、
前記画像読取装置は、
原稿セット部にセットされる原稿を、前記第１コンタクト部の前記第２面上に搬送する原稿搬送装置と、
前記原稿搬送装置により搬送される前記原稿から画像データが生成される場合、前記第１コンタクト部の前記第１面側に前記センサーユニットを送って停止させ、前記第２コンタクト部の前記第２面に載置される前記原稿から画像データが生成される場合、前記第２コンタクト部の前記第１面側で前記センサーユニットを移動させる送り機構と、
を備え、
前記第１端部は、前記第１コンタクト部の前記第１面側の位置において当該第１面に当接し、前記第２コンタクト部の前記第１面側の位置において当該第１面に当接する、
請求項１〜３のいずれかに記載の画像読取装置。
【請求項５】
前記コンタクト部には、前記センサーユニットが前記原稿を読み取り可能な領域である読取領域が定められており、
前記第１端部は、前記読取領域外に設けられている、
請求項１〜４のいずれかに記載の画像読取装置。
【請求項６】
請求項１〜４のいずれかに記載の画像読取装置と、
前記センサーユニットにより生成される前記画像データに基づき画像を形成する画像形成部と、
を備える画像形成装置。
【発明の詳細な説明】
【技術分野】
【０００１】
本発明は、コンタクト部上の原稿画像を光学的に読み取り、前記原稿画像を表す画像データを生成する画像読取装置、及び前記画像読取装置を備える画像形成装置に関する。
【背景技術】
【０００２】
画像読取装置の読取方式としては、等倍光学系タイプがある。
【０００３】
前記等倍光学系タイプでは、例えば発光ダイオードの出射光は、導光体を介して、コンタクト部上の原稿画像上に照射される。前記原稿画像における反射光は、ロッドレンズアレイを介して、ＣＭＯＳ(Complementary Metal Oxide Semiconductor)イメージセンサーに結像される。
【０００４】
前記画像読取装置において、ＡＤＦ(Automatic Document Feeder)等により、複数の原稿が、ＡＤＦ用コンタクト部上を連続的に搬送されることがある。また、原稿セットのために原稿台用コンタクト部の原稿台カバーが繰り返し開閉されることもある。その結果、前記コンタクト部の表面及び裏面には静電気が発生する。
【０００５】
また、前記等倍光学系タイプでは、前記ＣＭＯＳイメージセンサーは前記コンタクト部に近い。したがって、前記コンタクト部の裏面と、前記ＣＭＯＳイメージセンサーとの間で絶縁破壊が起こりやすい。前記絶縁破壊により、前記ＣＭＯＳイメージセンサーは静電破壊されることがある。
【０００６】
そこで、従来、前記コンタクト部に導電性膜を接触させると共に、前記導電性膜を接地するという対策が採られることがある（例えば特許文献１を参照）。
【先行技術文献】
【特許文献】
【０００７】
【特許文献１】特開平１０−１１２７７１号公報
【発明の概要】
【発明が解決しようとする課題】
【０００８】
しかし、前記静電気対策のためだけに前記導電性膜等の部品が追加されると、前記画像読取装置の製造コストが高くなる。
【０００９】
本発明の目的は、イメージセンサーの静電破壊を低コストで抑制可能な画像読取装置、及び画像形成装置を提供することである。
【課題を解決するための手段】
【００１０】
本発明の一の局面に係る画像読取装置は、コンタクト部と、センサーユニットと、当接部と、を備える。前記コンタクト部は透光性を有する。前記センサーユニットは、前記コンタクト部の第１面から離れて配置されている光源及びイメージセンサーを含み、前記コンタクト部の第２面上の原稿を光学的に読み取って画像データを生成する。前記当接部は、前記センサーユニットに設けられ、前記第１面に当接する第１端部を有しており、前記第１端部が導電性を有すると共に接地される。
【００１１】
本発明の他の局面に係る画像形成装置は、前記画像読取装置と、画像形成部とを備える。前記画像形成部は、前記センサーユニットにより生成される前記画像データに基づき画像を形成する。
【発明の効果】
【００１２】
本発明によれば、低コストでイメージセンサーの静電破壊を抑制可能な画像読取装置及び画像形成装置を提供することができる。
【図面の簡単な説明】
【００１３】
【図１】図１は、本発明の一実施形態に係る画像読取装置及びこれを備える画像形成装置の構成を示す模式図である。
【図２】図２は、図１に示される画像読取装置の詳細な構成を示す模式図である。
【図３】図３は、図２に示される原稿台カバーが取り外されている画像読取装置の詳細な構成を示す模式図である。
【図４】図４は、図２，図３に示されるセンサーユニットを左右方向に平行な仮想平面で切断した時の断面図である。
【図５】図５は、図１〜図３に示されるセンサーユニットを左右方向から見たとの平面形状を示す模式図である。
【発明を実施するための形態】
【００１４】
以下、添付図面を参照しながら、本発明の各実施形態について説明し、本発明の理解に供する。なお、以下の実施形態は、本発明を具体化した一例であって、本発明の技術的範囲を限定するものではない。
【００１５】
図１〜図５において、Ｘ軸、Ｙ軸及びＺ軸は、互いに直交し、画像形成装置１及び画像読取装置２の左右方向、前後方向及び上下方向を示す。
【００１６】
［実施形態］
図１において、画像形成装置１は、例えば、複写機、プリンター、ファクシミリ又は複合機である。前記複合機は、コピー機能、印刷機能及びファクス機能等、複数の機能を有する。
【００１７】
画像形成装置１は、画像読取装置２と、本体装置３と、を備える。
【００１８】
画像読取装置２は、本体装置３の上部に設けられている。なお、画像読取装置２は、画像形成装置１とは独立しているスキャナー等であってもよい。
【００１９】
画像読取装置２は、図２，図３に示すように、筐体２１、コンタクト部２２、ＡＤＦ(Automatic Document Feeder)２３、原稿台カバー２４、センサーユニット２５、キャリッジ２６、複数の付勢部２７及び送り機構２８等を備える。
【００２０】
また、画像読取装置２は、ＣＰＵ、ＲＯＭ、及びＲＡＭ等を含む制御部（図示せず）を備える。前記ＣＰＵは、ＲＯＭに予め格納されているプログラムを、ＲＡＭを作業領域として使いながら実行する。これにより、前記ＣＰＵは画像形成装置１を統括的に制御し、画像読取処理又は画像形成処理等の各種の処理を実行する。
【００２１】
なお、前記制御部は、本体装置３に設けられていてもよい。また、前記制御部は、ＡＳＩＣ（Application Specific Integrated Circuit）又はＤＳＰ(Digital Signal Processor)などの電子回路であってもよい。
【００２２】
筐体２１には、センサーユニット２５、キャリッジ２６、付勢部２７及び送り機構２８等が収容される。
【００２３】
コンタクト部２２は、第１コンタクト部２２１及び第２コンタクト部２２２を有する。
【００２４】
第１コンタクト部２２１及び第２コンタクト部２２２はいずれも、透光性を有するガラス又は樹脂から作製されている平板である。第１コンタクト部２２１及び第２コンタクト部２２２は、筐体２１の上面に、互いに電気的に絶縁されている状態で取り付けられている。具体的には、第１コンタクト部２２１は筐体２１の左端側に、第２コンタクト部２２２は、第１コンタクト部２２１に対して右方向に離れた位置に取り付けられている。
【００２５】
第１コンタクト部２２１は、第１面Ａ１及び第２面Ａ２を有している。第２面Ａ２は、第１面Ａ１と上方向において平行に対向する。
【００２６】
第１面Ａ１及び第２面Ａ２のそれぞれは、前記前後方向に延在する矩形状の面である。
【００２７】
第２面Ａ２上を、ＡＤＦ１３により搬送される前記原稿が通過する。また、第２面Ａ２上には、前記前後方向に平行な読取位置Ａ３が予め定められている。読取位置Ａ３は、センサーユニット２５が前記原稿を読み取り可能な領域である読取領域の一例である。
【００２８】
第１面Ａ１には、センサーユニット２５から出射される線状光（詳細は後述）が下方から入射される。前記線状光は、第１コンタクト部２２１を透過し読取位置Ａ３から出射される。
【００２９】
また、第２コンタクト部２２２は、第１面Ｂ１及び第２面Ｂ２を有している。
【００３０】
第１面Ｂ１及び第２面Ｂ２のそれぞれは、前記前後方向に平行な辺と、前記左右方向に平行な２辺とを有する矩形状の面である。第２面Ｂ２は、第１面Ｂ１と上方向において平行に対向する。
【００３１】
第２面Ｂ２上には、前記原稿が載置される。
【００３２】
第２面Ｂ２上には、前記前後方向に平行な読取開始位置Ｂ３及び読取終了位置Ｂ４が予め定められている。読取開始位置Ｂ３は、第２面Ｂ２の左端辺寄りの位置である。また、読取終了位置Ｂ４は、読取開始位置Ｂ３を基準として右方向に所定距離だけ離れている位置である。前記所定距離は、例えば、画像読取装置２が読み取り可能な最大の前記原稿の長辺の長さに整合している。また、第２コンタクト部２２２に載置されている原稿の前記左右方向の幅が予め検出可能な構成では、その検出される幅に応じて前記所定距離が変更されてもよい。
【００３３】
また、前記左右方向において読取開始位置Ｂ３から読取終了位置Ｂ４までのエリアは、読取領域の他の例である矩形エリアＢ５として予め定められている。
【００３４】
第１面Ｂ１には、センサーユニット２５からの線状光が下方から入射される。前記線状光は、第２コンタクト部２２２を透過し第２面Ｂ２から出射される。センサーユニット２５は前記左右方向に搬送されるので、前記線状光は、矩形エリアＢ５から順次出射される。
【００３５】
ＡＤＦ２３は、原稿搬送装置であって、筐体２１の上面に取り付けられている。ＡＤＦ２３は、原稿セット部２３１と、原稿ガイド２３２と、複数のローラー対２３３と、原稿排出部２３４と、を備える。
【００３６】
原稿セット部２３１は、原稿トレイ等である。原稿セット部２３１には、複数の前記原稿が載置可能である。
【００３７】
原稿ガイド２３２は、前記前後方向に延在する板状の部材である。原稿ガイド２３２は、読取位置Ａ３の上方に、読取位置Ａ３に対して予め定められている間隔をあけて設けられている。
【００３８】
複数のローラー対２３３は、前記制御部の制御下で、図示しないモーターから伝達される駆動力により回転する。複数のローラー対２３３は、原稿セット部２３１に載置された原稿を一枚ずつ、原稿ガイド２３２と読取位置Ａ３との間を順次通過させて原稿排出部２３４まで搬送する。
【００３９】
これにより、ＡＤＦ２３は、原稿セット部２３１にセットされている原稿を、第１コンタクト部２２１が有する第２面Ａ２の読取位置Ａ３上に搬送する。
【００４０】
原稿排出部２３４は、排出トレイ等である。原稿排出部２３４には、読取位置Ａ３を通過した前記原稿が排出される。
【００４１】
原稿台カバー２４は、ユーザー操作により開閉可能であり、第１コンタクト部２２１及び第２コンタクト部２２２を上方から覆う。
【００４２】
センサーユニット２５は、等倍光学系タイプのＣＩＳ(Contact Image Sensor)であって、第２面Ａ２上又は第２面Ｂ２上の前記原稿を光学的に読み取り、画像データを生成する装置である。
【００４３】
なお、センサーユニット２５は、縮小光学系タイプであってもよい。
【００４４】
センサーユニット２５は、第１コンタクト部２２１及び第２コンタクト部２２２の直下で、前記左右方向に移動可能である。
【００４５】
キャリッジ２６は、樹脂材料等で作製される。キャリッジ２６は、前記前後方向に延在する。キャリッジ２６は、筐体１１の底面において前記左右方向に延在するガイドレール１１１により支持されながら、ガイドレール１１１上を前記左右方向に摺動する。
【００４６】
キャリッジ２６の上面には、複数の付勢部２７を介してセンサーユニット２５が搭載されている。
【００４７】
付勢部２７は、コイルスプリング等であり、センサーユニット２５の底面に上方への力Ｆ１を加える。これにより、センサーユニット２５は、第１面Ａ１，Ｂ１に押し付けられる。
【００４８】
送り機構２８は、モーター及びボールねじの組合せ、又は、モーター及びエンドレスベルトの組合せを含む。送り機構２８は、前記制御部の制御の下、前記センサーユニット２５を前記左右方向に搬送する。
【００４９】
具体的には、ＡＤＦ２３により搬送される前記原稿から画像データがセンサーユニット２５により生成される場合、送り機構２８は、第１コンタクト部２２１の第１面Ａ１側にセンサーユニット２５を送って停止させる。より詳細には、後述の光軸面Ｅ１が読取位置Ａ３の真下となる位置でセンサーユニット２５は停止させられる。具体的に、前記制御部は、前記原稿セット部２３１に原稿がセットされた状態で画像読取処理のスタート操作が行われた場合に、送り機構２８を制御してセンサーユニット２５を第１コンタクト部２２１側に移動させて前記原稿の画像を読み取る。
【００５０】
センサーユニット２５は、前記停止の後、ＡＤＦ２３により搬送される読取位置Ａ３上を通過する前記原稿を光学的に読み取り、画像データを生成する。
【００５１】
一方、第２コンタクト部２２２の第２面Ｂ２に載置される前記原稿から画像データがセンサーユニット２５により生成される場合、送り機構２８は、第２コンタクト部２２２の第１面Ｂ１側で前記センサーユニット２５を前記左右方向に移動させる。具体的に、前記制御部は、前記原稿セット部２３１に原稿がセットされていない状態で画像読取処理のスタート操作が行われた場合に、送り機構２８を制御してセンサーユニット２５を第２コンタクト部２２２側に移動させて前記原稿の画像を読み取る。
【００５２】
より詳細には、後述の光軸面Ｅ１が読取開始位置Ｂ３の真下となる位置でセンサーユニット２５は一旦停止する。その後、センサーユニット２５は、読取終了位置Ｂ４に向かった、前記左右方向に移動させられる。
【００５３】
前記左右方向に移動中、センサーユニット２５は、矩形エリアＢ５内に載置されている前記原稿を読み取り、画像データを生成する。
【００５４】
なお、センサーユニット２５は、筐体１１の内部だけでなく、ＡＤＦ２３の内部に固定的に配置されていてもよい。具体的には、センサーユニット２５は、ＡＤＦ２３における前記原稿の搬送経路上であって、読取位置Ａ３の真下以外の場所に固定的に配置される。この場合、センサーユニット２５は、ＡＤＦ２３内の配置位置にて、前記搬送経路上の搬送される前記原稿を読み取る。
【００５５】
再度図１を参照する。本体装置３は、画像形成部３１及び給紙カセット３２等を備える。
【００５６】
画像形成部３１は、給紙カセット３２から供給されるシートに、前記画像データが表す画像を形成する。具体的に、画像形成部３１は、不図示のレーザースキャニングユニット（ＬＳＵ）、感光体ドラム３１１、帯電器３１２、現像器３１３、転写器３１４、定着ローラー３１５及び加圧ローラー３１６等を備える電子写真方式の画像形成部である。また、画像形成部３１は、モノクロ画像を形成するものでもよいが、例えばタンデム方式によりカラー画像を形成してもよい。なお、画像形成部３１は、例えばインクジェット方式の画像形成部であってもよい。
【００５７】
次に、センサーユニット２５の詳細な構成例について説明する。
【００５８】
センサーユニット２５は、図４，図５に示すように、筐体２５１、回路基板２５２、イメージセンサー２５３、導光部２５４、光源２５５、レンズアレイ２５６及び当接部２５７を備える。
【００５９】
筐体２５１は、樹脂等で作製されている。筐体２５１の内部空間Ｃ１は、前記上方向からの平面視で、大略的には、前記前後方向に延在する矩形形状を有している。
【００６０】
内部空間Ｃ１には、イメージセンサー２５３、導光部２５４、光源２５５、レンズアレイ２５６及び当接部２５７が収容される。
【００６１】
回路基板２５２は、内部空間Ｃ１における下端寄りの位置に固定的に配置されている。
【００６２】
回路基板２５２は、第３面Ｄ１及び第４面Ｄ２を有する。第３面Ｄ１及び第４面Ｄ２はそれぞれ、前記前後方向に延在する矩形状の面である。第３面Ｄ１及び第４面Ｄ２は、上下方向において互いに平行に対向する。第４面Ｄ２は、第３面Ｄ１よりも第２面Ａ２及び第２面Ｂ２に近い側の面である。
【００６３】
また、第４面Ｄ２上には、接地電極Ｄ３が形成されている。接地電極Ｄ３は、上方からの平面視で、矩形状の第４面Ｃ２の四隅に設けられる。
【００６４】
接地電極Ｄ３は、前記四隅に独立的に形成されていてもよい。他にも、１つの線状の接地電極Ｄ３が前記四隅を通過するように形成されていてもよい。
【００６５】
接地電極Ｄ３は、筐体２１等に設けられている基準電位点に電気的に接続されている。
【００６６】
第４面Ｄ２上には他にも、イメージセンサー２５３の周辺回路等が形成されている。
【００６７】
イメージセンサー２５３は、例えばＣＭＯＳラインセンサーであって、ライン状に配列されている複数の撮像素子を含む。以下、前記複数の撮像素子の各光軸を含む面を光軸面Ｅ１という。
【００６８】
イメージセンサー２５３は、第１面Ａ１，Ｂ１から離れて配置されている。イメージセンサー２５３は、光軸面Ｅ１が前記前後方向に平行となるよう第４面Ｄ２に実装されている。
【００６９】
イメージセンサー２５３は、接地端子Ｔ１を含む各種端子を有する。接地端子Ｔ１は、接地電極Ｄ３と電気的に接続される。
【００７０】
導光部２５４は、２本の導光体２５４１，２５４２を含む。導光体２５４１，２５４２は、内部空間Ｃ１において回路基板２５２の上方に設けられており、前記前後方向に沿って延在する。また、導光体２５４１，２５４２は、光軸面Ｅ１を基準として互いに対称な形状である。
【００７１】
光源２５５は、２個の発光素子２５５１，２５５２を含む。なお、導光部２５４及び光源２５５各々が有する導光体及び発光素子の数はこれに限らない。
【００７２】
発光素子２５５１，２５５２は、例えば発光ダイオードである。発光素子２５５１，２５５２は、第１面Ａ１，Ｂ１から離れて配置されている。発光素子２５５１，２５５２は、導光体２５４１，２５４２の前記前後方向における端面にそれぞれ取り付けられる。
【００７３】
導光体２５４１，２５４２の端面には、発光素子２５５１，２５５２の出射光がそれぞれ入射される。導光体２５４１，２５４２の内部において入射光は全反射を繰り返しながら前記前後方向に伝搬される。
【００７４】
また、各導光体２５４１，２５４２内の下端には、複数の反射部が形成されている。前記反射部はプリズム又は反射シート等である。前記複数の反射部への入射光は反射されて、導光体２５４１，２５４２の上端から、前記前後方向に延在する線状光として出射される。
【００７５】
各導光体２５４１，２５４２から出射された線状光は、第１コンタクト部２２１又は第２コンタクト部２２２を透過し、第１コンタクト部２２１又は第２コンタクト部２２２上の前記原稿にて反射される。
【００７６】
レンズアレイ２５６は、例えばグリンレンズアレイである。レンズアレイ２５６は、前記前後方向に延在しており、前記光軸面Ｅ１上に配置される。また、レンズアレイ２５６の下端面は、前記イメージセンサー２５３の各撮像素子から離れていてもよいし、当該撮像素子と当接していてもよい。
【００７７】
レンズアレイ２５６の上端面から、前記原稿での反射光が入射される。入射光は、レンズアレイ２５６の内部における屈折率分布により、レンズアレイ２５６の内部で屈折させられながら下端面から出射され、イメージセンサー２５３にて結像する。
【００７８】
イメージセンサー２５３において、複数の撮像素子は、自身への入射光の光量を示す電気信号を順次出力する。これにより、前記前後方向における１ライン分の画像データが生成される。
【００７９】
なお、導光部２５４は１本の導光体を含み、光源２５５は１個の発光素子を含んでいてもよい。また、導光部２５４及び光源２５５は、前記前後方向に延在する蛍光ランプに置換されてもよい。
【００８０】
また、イメージセンサー２５３に迷光が入射されないように、内部空間Ｃ１において光源２５５とイメージセンサー２５３の間には、不透光性の樹脂等で作製される光遮蔽部が設けられる。
【００８１】
レンズアレイ２５６の出射光がイメージセンサー２５３に正確に結像するには、センサーユニット２５の搬送にかかわらず、光源２５５及びイメージセンサー２５３等の前記上下方向における位置が、第１面Ａ１，Ｂ１に対して一定に維持される必要がある。
【００８２】
前記位置を一定に保つために当接部２５７が設けられている。当接部２５７は、４個の当接部材２５７１〜２５７４を含む。
【００８３】
当接部材２５７１〜２５７４は樹脂等で作製される。当接部材２５７１〜２５７４は、筐体２５１の上端面を基準として上方向に突出している。
【００８４】
当接部材２５７１，２５７２は、前記左右方向からの平面視で、光軸面Ｅ１を挟む位置に設けられる。当接部材２５７３，２５７４は、当接部材２５７１，２５７２を基準として前記左右方向に離れた位置に設けられる。
【００８５】
当接部材の個数は４個以外でも構わない。当接部２５７は、前記左右方向からの平面視で、光軸面Ｅ１を挟む位置に設けられる２個又は３個の当接部材を含んでいてもよい。他にも、当接部２５７は、前記左右方向からの平面視で、光軸面Ｅ１から離れて設けられていてもよい。
【００８６】
当接部材２５７１〜２５７４の上端部は、第１端部Ｇ１〜Ｇ４である。当接部材２５７１〜２５７４は、前記読取領域外に設けられている。
【００８７】
第１端部Ｇ１〜Ｇ４は、第４面Ｄ２を基準として、前記上下方向において互いに同じ高さを有する。また、第１端部Ｇ１〜Ｇ４は、前記左右方向からの平面視で、例えば円弧形状等を有する。
【００８８】
上記構成により、第１端部Ｇ１〜Ｇ４は、前記画像読み取りの際、第２面Ａ２，Ｂ２に対する光源２５５及びイメージセンサー２５３の位置を保ちつつ、付勢部２７が筐体２５１に加える力Ｆ１により、第１面Ａ１上の前記原稿が読み取られる際、第１コンタクト部２２１の第１面Ａ１側の位置において第１面Ａ１と当接し、第１面Ｂ１上の前記原稿が読み取られる際、第２コンタクト部２２２の第１面Ｂ１側の位置において第１面Ｂ１に当接する。特に、第１面Ｂ１上の前記原稿が読み取られる際、第１端部Ｇ１〜Ｇ４は、第２面Ｂ２に当接しつつ第２面Ｂ２の直下を摺動する。
【００８９】
前記画像読み取りの際、前記複数の原稿が、第１面Ａ１上を連続的に搬送されることがある。また、第２コンタクト部２２２上への原稿セットのために、原稿台カバー２４が繰り返し開閉されることもある。その結果、第１コンタクト部２２１及び第２コンタクト部２２２には静電気が発生する。
【００９０】
また、特に、前記等倍光学系タイプでは、イメージセンサー２５３の位置は、第１コンタクト部２２１及び第２コンタクト部２２２に近い。したがって、第２面Ａ２及び第２面Ｂ２と、イメージセンサー２５３との間で絶縁破壊が起こりやすい。前記絶縁破壊により、イメージセンサー２５３は静電破壊されることがある。
【００９１】
前記静電破壊を防止すべく、従来、コンタクト部に導電性膜を接触させると共に、前記導電性膜を接地するという対策が採られることがある。
【００９２】
しかし、静電気対策のためだけに前記導電性膜等の部品が追加されると、画像読取装置２の製造コストが高くなる。
【００９３】
そこで、第１端部Ｇ１〜Ｇ４は、導電性を有しており、接地される。
【００９４】
具体的には、当接部材２５７１〜２５７４は導電性樹脂で作製される。
【００９５】
また、当接部材２５７１〜２５７４の下端部は、第２端部Ｈ１〜Ｈ４である。第２端部Ｈ１〜Ｈ４は、第４面Ｃ２の四隅に設けられている接地電極Ｄ３上に設けられ、接地電極Ｄ３と当接する。
【００９６】
筐体２５１には、付勢部２７により前記上方向への力Ｆ１を加えられているため、第１端部Ｇ１〜Ｇ４が第１面Ａ１，Ｂ１に押し付けられるだけでなく、接地電極Ｄ３は第２端部Ｈ１〜Ｈ４に押し付けられる。
【００９７】
当接部材２５７１〜２５７４は、第１端部Ｇ１〜Ｇ４及び第２端部Ｈ１〜Ｈ４を含む柱状体であって、内部空間Ｃ１に設けられる。
【００９８】
なお、当接部材２５７１〜２５７４は、内部空間Ｃ１内に限らず、筐体２５１を上下方向に貫通していてもよい。他にも、当接部材２５７１〜２５７４は、筐体２５１の外周面に沿って設けられていてもよい。
【００９９】
ここで、筐体２５１は、前記左右方向における長さに関し、第１コンタクト部材２２１よりも小さい。また、当接部材２５７１〜２５７４は、前記左右方向における位置について、第１コンタクト部２２１及び第２コンタクト部２２２を基準として、光軸面Ｅ１寄りに設けられている。また、当接部材２５７１〜２５７４は、筐体２５１から上方向に突出するため、前記上下方向からの平面視で、従来の対策と比較して、光軸面Ｅ１に近接させることができる。
【０１００】
前記従来の対策、即ち、コンタクト部に導電性膜を接触させると共に、前記導電性膜を接地するという対策では、前記導電性膜は、前記コンタクト部の外縁に配置されている。
【０１０１】
当接部材２５７１〜２５７４は、全体が導電性樹脂で作製されることで、第１端部Ｇ１〜Ｇ４と、第２端部Ｈ１〜Ｈ４との間において導電性を有している。これにより、第１端部Ｇ１〜Ｇ４が接地電極Ｄ３と電気的に接続される。しかし、これに限らず、第１端部Ｇ１〜Ｇ４だけが導電性を有する場合には、第１端部Ｇ１〜Ｇ４が、導線又は導体パターンにより接地電極Ｄ３と電気的に接続されてもよい。
【０１０２】
また、第１端部Ｇ１〜Ｇ４は、当接部材２５７１〜２５７４の上端部に形成される金属膜であってもよい。
【０１０３】
上記構成により、第１端部Ｇ１〜Ｇ４は、前記画像読み取りの際に、第２面Ａ２又は第２面Ｂ２に当接する。したがって、第１コンタクト部２２１又は第２コンタクト部２２２に発生する静電気は、第１端部Ｇ１〜Ｇ４から第２端部Ｈ１〜Ｈ４をそれぞれ経由して、回路基板２５２の接地電極Ｄ３に移動する。
【０１０４】
これにより、第１コンタクト部２２１及び第２コンタクト部２２２の帯電量を低減できるため、イメージセンサー２５３の静電破壊を抑制することができる。
【０１０５】
より具体的には、イメージセンサー２５３は、ＡＤＦ２３により搬送される前記原稿から画像データを生成する場合、第１コンタクト部２２１の読取位置Ａ３のほぼ直下に配置される。第１コンタクト部２２１において、特に、読取位置Ａ３の周囲は、ＡＤＦ２３により搬送されるシートにより帯電する。
【０１０６】
しかし、複数個の当接部材２５７１〜２５７４は、前記上下方向からの平面視で光軸面Ｅ１に近接しているため、読取位置Ａ３の近傍において第１コンタクト部２２１と当接する。したがって、第１コンタクト部２２１における線状光の照射位置及びその近傍において、帯電電位を低く抑えることが可能となり、静電気が発生しにくくなる。その結果、イメージセンサー２５３の静電破壊を、前記従来の対策よりも抑制することができる。
【０１０７】
イメージセンサー２５３は、第２コンタクト部２２２上に載置される前記原稿から画像データを生成する場合、第２コンタクト部２２２の直下で前記左右方向に搬送されることになる。この場合も、複数個の当接部材２５７１〜２５７４が光軸面Ｅ１に近接しているため、第２コンタクト部２２２において線状光の照射位置及びその近傍において帯電電位を低く抑えることが可能となる。
【０１０８】
したがって、本画像読取装置２のように、導電性を有する当接部材２５７１〜２５７４を接地させる手法は、従来の対策よりも、イメージセンサー２５３の静電破壊を抑制できるという効果を奏する。
【０１０９】
また、当接部材２５７１〜２５７４だけに静電気対策を施すことにより、第１コンタクト部２２１及び第２コンタクト部２２２のそれぞれに、前記導電性膜等の部品を追加する必要がなくなるため、画像読取装置２の製造コストを抑制することができる。
【０１１０】
なお、前記画像読取処理が実行されない時、センサーユニット２５は、前記左右方向において予め定められている初期位置にて待機する。
【０１１１】
センサーユニット２５の待機中、当接部材２５７１〜２５７４の少なくとも１個は第１コンタクト部２２１に当接し、他の少なくとも１個は第２コンタクト部２２２に当接していてもよい。
【０１１２】
これにより、前記画像読取処理の前に原稿台カバー２４が開閉されたとしても、第１コンタクト部２２１及び第２コンタクト部２２２の帯電電位を低く抑えることが可能となる。
【符号の説明】
【０１１３】
１  画像形成装置
２  画像読取装置
２２  コンタクト部
２２１  第１コンタクト部
２２２  第２コンタクト部
Ａ１，Ｂ１  第１面
Ａ２，Ｂ２  第２面
２５  センサーユニット
２５３  イメージセンサー
２５５  光源
２５７  当接部
Ｇ１〜Ｇ４  第１端部
Ｈ１〜Ｈ４  第２端部
２５２  回路基板
Ｃ１  内部空間
Ｄ１  第３面
Ｄ２  第４面
Ｄ３  接地電極
２３  ＡＤＦ（原稿搬送装置）
２３１  原稿セット部
２８  送り機構
３  本体装置
３１  画像形成部
【図１】
2019041360.tif 000003
【図２】
2019041360.tif 000004
【図３】
2019041360.tif 000005
【図４】
2019041360.tif 000006
【図５】
2019041360.tif 000007